(57)【要約】【課題】構造簡単で安価な板状木製品のラッピング構造を提供する。【解決手段】１枚のラッピング用フィルムＦが、板状木製品１０の少なくともその表側Ａを覆ったうえ、角で折り曲げられ、端面Ｃをも覆うよう、前記板状木製品１０がラッピング処理されている。また、１枚のラッピング用フィルムＦが、板状木製品１０の少なくともその表側Ａを覆ったうえ、角で折り曲げられ、端面Ｃをも覆い、かつ、もう１枚のラッピング用フィルム（Ｆ）が、板状木製品１０の少なくともその裏側Ｂを覆ったうえ、角で折り曲げられ、前記端面Ｃをも覆うよう、前記板状木製品１０がラッピング処理されている。【選択図】　　図１
2004143743.tif 000002
【特許請求の範囲】
【請求項１】
１枚のラッピング用フィルムが、板状木製品の少なくともその表側の面を覆ったたうえ、角で折り曲げられ、端面をも覆うよう、前記板状木製品がラッピング処理されていることを特徴とする板状木製品のラッピング構造。
【請求項２】
１枚のラッピング用フィルムが、板状木製品の少なくともその表側の面を覆ったたうえ、角で折り曲げられ、端面をも覆い、かつ、もう１枚のラッピング用フィルムが、板状木製品の少なくともその裏側の面を覆ったたうえ、角で折り曲げられ、前記端面をも覆うよう、前記板状木製品がラッピング処理されていることを特徴とする板状木製品のラッピング構造。
【請求項３】
前記板状木製品が複数の基材よりなり、その複数の基材が組み立てられ、一体化された形態でラッピング処理されていることを特徴とする請求項１又は２に記載の板状木製品のラッピング構造。
【請求項４】
前記複数の基材のうち、表側、又は／及び裏側の面を形成するよう張られた板状基材の一部が、刳り抜かれることによって、開口部分が形成され、その開口部分に板状片が嵌め込まれ、面縁によって固定されていることを特徴とする請求項１乃至３のうちいずれか一つに記載の板状木製品のラッピング構造。
【発明の詳細な説明】
【０００１】
【発明の属する技術分野】
本発明は、構造簡単で安価な、建具、家具等の板状木製品のラッピング構造に関するものである。
【０００２】
【従来の技術】
従来、建具、家具等の板状木製品（例えばフラッシュドアやテーブル）は、ラッピング用フィルムによって覆われたものが用いられている。例えばフラッシュドアについては、芯組を構成する枠状基材の表裏に、予め表面をラッピング用フィルムで覆われ、所定の形状・寸法に裁断された板状基材が貼り付けられることによって製作される等のため、いずれも端面には、外観の悪い木質部分が露出する。
【０００３】
それの改善のため、前記端面のうち、少なくとも人によって見られる部分には、表面のラッピング用フィルムフィルムの色・模様に調和するフィルム又はシート又は薄板（コバ）が別に貼り付けられる。そのため、その貼り付けに余分の材料、工数を要し、それだけコスト高を来たしているという問題点がある。
【０００４】
また、ラッピング処理等で化粧されたタテ框、ヨコ框、上框及び下框の組み立てによつて形成された枠体の内側に鏡板が固定された木質ドアが提案されている（例えば特許文献１）。
【０００５】
【特許文献１】
特開平９−８８４４３号公報
【０００６】
特許文献１によれば、製造コスト低く、高級感があると記載されているが、化粧が構成部材毎になされるため、作業が複雑であって、なお、コスト高であるという問題点がある。
【０００７】
【発明が解決しようとする課題】
そこで本発明の目的とするところは、上記従来例の欠点を解消したところの、構造が簡単で安価な板状木製品のラッピング構造を提供することにある。
【０００８】
【課題を解決するための手段】
上記の目的を達するために、請求項１の発明の板状木製品のラッピング構造は、１枚のラッピング用フィルム（Ｆ）が、板状木製品（１０）の少なくともその表側（Ａ）を覆ったうえ、角で折り曲げられ、端面（Ｃ）をも覆うよう、前記板状木製品（１０）がラッピング処理されている。
【０００９】
なお、板状木製品とは、建物に使用されるところの、それの開口部を仕切る間仕切り、クローゼットドア、戸（扉、引き戸等）等の建具や机・テーブル・棚等の家具を意味する。
【００１０】
請求項２の発明の板状木製品のラッピング構造は、１枚のラッピング用フィルム（Ｆ）が、板状木製品（１０）の少なくともその表側（Ａ）を覆ったうえ、角で折り曲げられ、端面（Ｃ）をも覆い、かつ、もう１枚のラッピング用フィルム（Ｆ）が、板状木製品（１０）の少なくともその裏側（Ｂ）を覆ったうえ、角で折り曲げられ、前記端面（Ｃ）をも覆うよう、前記板状木製品（１０）がラッピング処理されている。
【００１１】
請求項３の発明は、請求項１又は２の発明の構成に加えて、前記板状木製品（１０）が複数の基材（１１，１２）よりなり、その複数の基材（１１，１２）が組み立てられ、一体化された形態でラッピング処理されていることを特徴とする。
【００１２】
請求項４の発明は、請求項１乃至３の発明の構成に加えて、前記複数の基材（１１，１２）のうち、表側、又は／及び裏側の面を形成するよう張られた板状基材（１２）の一部が、刳り抜かれることによって、開口部分（１５）が形成され、その開口部分（１５）に板状片（１３）が嵌め込まれ、面縁（２０）によって固定されていることを特徴とする。
【００１３】
なお、上記の課題を解決するための手段に記載された括弧内の記号は図面及び後述する発明の実施の形態に記載された記号に対応するものである。
【００１４】
請求項１及び請求項２の発明によれば、板状木製品である、例えば単一の基材よりなるドアの、端面のうち、人と相対し、被覆が必要な部分には、従来、別にフィルム又はシート又は薄板（コバ）が貼り付けられていたが、それが不要となる。従って、それに要する材料、工数が低減され、それだけコストが低減されると共に、その構造が著しく簡単であるにも関わらず、被覆が必要な端面にも表側又は表裏両側の面と一体にラッピング処理がなされているため、両者の一体感が向上する。
特に、請求項２の発明によれば、例えば前記フラッシュドアにおいて、人の手等と接触し、損傷し易い端面を覆うフィルムが二重になるため、その強度が向上する。
【００１５】
また請求項３の発明によれば、請求項１，２の発明の作用効果に加えて、従来板状木製品の一つである、例えば従来のフラッシュドアは、それを構成するパネルが、予めラッピング処理された大板の裁断によって製作されていたのに対して、ラッピング処理されない大板の裁断によって形成されたパネルと芯組とが組み立てられ、一体化された後、最終段階でパネルだけでなく、被覆が必要な芯組の端面も一体にラッピング処理されるため、前記裁断に伴うラッピング用フイルムの損失や予めラッピング処理されたパネルの搬送・保管等に伴うフィルムの損傷事故の発生の可能性が低減される。
【００１６】
また請求項４の発明によれば、請求項１乃至３の発明の作用効果に加えて、開口部分の位置、形状、寸法が適正に選定され、それに対応する面縁と板状片とが準備されるだけで、単調になりがちな板状木製品の表面の形状が効果的に変化し、外観が著しく向上する。
【００１７】
【発明の実施の形態】
本発明の板状木製品のラッピング構造の実施の形態例について図面を参照して説明すると、図１はラッピングされた板状木製品の一つである鏡板を備えたフラッシュドアの横断面図、図２はそれの組み立て前の基材の構成を示す分解正面図である。
【００１８】
図２（ａ）に示すように、板状木製品１０の一つでフラッシュドアを構成する複数の基材として、長方形の枠の内部に格子状の桟が組み込まれて形成された芯組１１、図２（ｂ）にそれぞれ示すように、前記芯組１１の両側の面に張られる２枚のパネル１２が準備される他、図２（ｃ）に示すように、２組の面縁２０が準備される。なお、面縁２０のＸ−Ｘ線断面は、図１に示すように断面略Ｌ字状になっている。
【００１９】
ラッピング処理について説明すると、図１に示すように、前記芯組１１の両面に２枚のパネル１２，１２が張られ、一体化された状態で、その表裏両側Ａ，Ｂの面にそれぞれラッピング用フィルムＦが即乾性接着剤又は粘着剤を介して圧着され、貼り付けられている。その際、２枚のラッピング用フィルムＦ，Ｆは、芯組１１とパネル１２，１２とが一体化されたものの端面のうち、人と相対し、被覆が必要な左右両端面Ｃをも覆うよう延設され、それぞれその端部同士は、前記両端面Ｃ，Ｃで重ね合わされている。より詳細には、１枚のラッピング用フィルムＦが、板状木製品１０の少なくともその表側Ａを覆ったうえ、角で折り曲げられ、端面Ｃをも覆い、かつ、もう１枚のラッピング用フィルムＦが、板状木製品１０の少なくともその裏側Ｂを覆ったうえ、角で折り曲げられ、前記端面Ｃをも覆うようにしている。
【００２０】
ラッピング用フィルムＦについて説明すると、通常ＰＰ等の柔軟性に富むオレフィン系重合物よりなり、押し出し機等によって０．０２〜２ミリの均一厚さに成形されたものが使用される。前記基材１１，１２が一体化されたものへの貼り付けに先立って裁断されるが、その寸法は、縦方向は板状木製品１０のそれと同じでよいが、横方向は板状木製品１０のそれに両端面Ｃの厚さ分が加えられた値に設定される。その他、複数層構造のフィルムが使用される場合は、予め別個に押し出された複数枚のフィルムやさらに紙シートが貼り合わせられることよって製造される。
【００２１】
即乾接着剤について詳細説明すると、前記基材１１，１２が一体化されたものの表面への貼り付けに先立って、ラッピング用フィルムには、刷毛・ローラ等により例えば無溶剤即乾接着剤（例えばポリウレタン接着剤等の無溶剤即乾性接着剤又はホットメルト接着剤）が塗られる（塗布量１００〜１８０ｇ／ｍ２）。その厚さはフィルムのそれに比較して無視出来る程度に薄い。なお、接着剤はフラッシュドアの側に塗布されてもよい。また、無溶剤即乾接着剤の代わりに、予め粘着剤が塗布されたラッピング用フィルムが用いられてもよい。
【００２２】
そのうえ、以上のようにラッピング処理された後、単調になりがちなフラッシュドアに対しては、その外観が向上するよう、次の加工がなされる。すなわち、図１に示すように先ず、各パネル１２がフィルムＦと共にその中央部分が刳り抜かれ、開口部分１５が形成される。その開口部分１５に鏡板として嵌め込まれる板状片１３として、前記刳り抜かれた部分が背中合わせに重ね合わされたものが有効利用される。その板状片１３は、さらにその上、表側、裏側から嵌め込まれる２組の、上述の断面略Ｌ字状の面縁２０，２０によって芯組１１に固定される。なお、面縁２０の断面形状は、Ｌ字状に限定されるものではない。
【００２３】
これによれば、基材である、芯組１１と２枚のパネル１２とが組み立てられ、一体化されたものの表裏両側Ａ，Ｂの面に、ラッピング用フィルムＦの接着剤側の面が重ね合わされたうえ、４０〜１２０℃のロール・ヘラ等によって押圧される。
【００２４】
さらに、ラッピング用フィルムＦは、対象となる板状木製品１０の形状・寸法に合わせて裁断されるため、ラッピング用フィルムの無駄が殆どなく、その歩留まりは極めて高く、貼付作業自体も１分以内に終了する。また、端面のうち、人と相対し、被覆が必要な左右の端面Ｃが、表裏両側Ａ，Ｂの面と共にラッピング処理されることによって、従来、別に貼り付けられていたフィルム又はシート又は薄板（コバ）が不要となる。
【００２５】
そのため、前記端面Ｃと表裏両側Ａ，Ｂの面との一体感が増すと共に、材料、工数が低減され、それだけコストが低減される。そのうえ、従来例にみられた、予めラッピング処理されたパネルの搬送・保管等に伴うフィルムの損傷事故の発生の可能性も著しく低減される。
【００２６】
なお、無溶剤即乾接着剤の代わりに、予め粘着剤が塗布されたラッピング用フィルムが用いられる場合、処理はさらに簡易となり、また、汚れや破損等でフィルム交換の必要が生じても、容易に剥離出来るという効果もある。
【００２７】
さらに、板状木製品１０であるフラッシュドアの、人の手等と接触し、損傷し易い端面Ｃ，ＣがフィルムＦ，Ｆで二重に覆われているため、その強度が向上し、汚れることはあっても、損傷することは殆んどない。
【００２８】
そのうえ、開口部分１５の位置、形状、寸法が適正に選定され、それに対応する面縁２０とが準備されるだけで、上述のように、開口部分１５に嵌め込まれる板状片１３として、その開口部分１５の形成のために刳り抜かれた部分が有効利用されるため、面縁２０が準備されるだけの僅かなコスト負担増によって、単調になりがちな板状木製品１０の表面の形状が効果的に変化し、外観が著しく向上する。なお、板状片１３はこれに限定されるものではなく、別途準備されてもよい。
【００２９】
なお、本発明のラッピング構造の適用対象は、板状木製品であれば、フラッシュドアに限定されるものではなく、いずれも図は省略するが、複数又は単一基材よりなるドアを含む板状の建具や机・テーブル・棚等の板状の家具にも適用可能であり、例えば机やテーブルであれば、通常はその裏側の面へのラッピング用フィルムの貼り付けは不要である。
【００３０】
【発明の効果】
請求項１及び請求項２の発明によれば、板状木製品である、例えば単一の基材よりなるドアの、端面のうち、人と相対し、被覆が必要な部分には、従来、別にフィルム又はシート又は薄板（コバ）が貼り付けられていたが、それが不要となる。従って、それに要する材料、工数が低減され、それだけコストが低減されると共に、その構造が著しく簡単であるにも関わらず、被覆が必要な端面にも表側又は表裏両側の面と一体にラッピング処理がなされているため、両者の一体感が向上する。
特に、請求項２の発明によれば、例えば前記フラッシュドアにおいて、人の手等と接触し、損傷し易い端面を覆うフィルムが二重になるため、その強度が向上する。
【００３１】
また請求項３の発明によれば、請求項１，２の発明の作用効果に加えて、従来板状木製品の一つである、例えば従来のフラッシュドアは、それを構成するパネルが、予めラッピング処理された大板の裁断によって製作されていたのに対して、ラッピング処理されない大板の裁断によって形成されたパネルと芯組とが組み立てられ、一体化された後、最終段階でパネルだけでなく、被覆が必要な芯組の端面も一体にラッピング処理されるため、前記裁断に伴うラッピング用フイルムの損失や予めラッピング処理されたパネルの搬送・保管等に伴うフィルムの損傷事故の発生の可能性が低減される。
【００３２】
また請求項４の発明によれば、請求項１乃至３の発明の作用効果に加えて、開口部分の位置、形状、寸法が適正に選定され、それに対応する面縁と板状片とが準備されるだけで、単調になりがちな板状木製品の表面の形状が効果的に変化し、外観が著しく向上する。
【図面の簡単な説明】
【図１】本発明の実施の形態例のラッピング処理された鏡板を備えたフラッシュドアの一部を示す断面図である。
【図２】図１のフラッシュドアの組み立て前の基材の構成を示す分解正面図であって、（ａ）は芯組、（ｂ）はその他の基材、（ｃ）は面縁をそれぞれ示す。
【符号の説明】
１０　板状木製品
１１　基材（芯組）
１２　基材（板状基材、パネル）
１３　板状片（刳り抜かれた部分、鏡板）
１５　開口部分
２０　面縁
Ａ　表側の面
Ｂ　裏側の面
Ｃ　端面
Ｆ　ラッピング用フィルム
【図１】
2004143743.tif 000003
【図２】
2004143743.tif 000004